(57)【要約】【課題】ランプのスロープ面の立体構造を検討することにより、カラス口の無いランプであってもヘッドのロード／アンロードを安定化させることのできるランプ及びハードディスク構造を提供する。【解決手段】磁気ディスク装置筐体への取り付けを行う基部と、前記アームの先端に設けられたリフトタブとディスク面外で係合し、係留部への導入を行うスロープの形成された摺動部とを有し、摺動部が、ディスク５側に、スロープのエッジが、リフトタブ２のディスク面上の回転平面Ｐ０からの垂直距離Ｗが漸次増加し、かつ前記リフトタブ先端の回転円弧Ｒからの前記回転平面に平行な距離Ｈが漸次増加する導入部を有しており、該導入部の先端が、前記回転平面Ｐ０以下であり、前記導入部の係留部側端部が、前記係合開始点に対して、アームに搭載されたヘッドが前記磁気ディスク面上においてヘッドに掛かるヘッド荷重から解放されるに十分な前記垂直距離Ｗ及び距離Ｈの増加量を有する。【選択図】図１
2009181685.tif 000002
【特許請求の範囲】
【請求項１】
磁気ディスク装置の磁気ディスク面上に移動対応させて情報の読取り／書き込みを行うヘッドを搭載したサスペンションアームを待機時に係留させ、駆動時に前記磁気ディスク面上に移動案内するためのランプ部材であって、
磁気ディスク装置筐体への取り付けを行う基部と、前記サスペンションアームの先端に設けられたリフトタブとディスク面外で係合し、係留部への導入を行うスロープの形成された摺動部とを有し、
該摺動部は、磁気ディスク側に、スロープのエッジが、前記リフトタブのディスク面上の回転平面からの垂直距離Ｗが漸次増加し、かつ前記リフトタブ先端の回転円弧からの前記回転平面に平行な距離Ｈが漸次増加する導入部を有しており、
該導入部の先端が、前記リフトタブのディスク面上の回転平面以下であり、前記導入部の係留部側端部が、前記係合開始点に対して、前記サスペンションアームに搭載されたヘッドが前記磁気ディスク面上においてヘッドに掛かるヘッド荷重から解放されるに十分な前記垂直距離Ｗ及び距離Ｈの増加量を有することを特徴とするランプ部材。
【請求項２】
前記垂直距離Ｗ及び距離Ｈが、それぞれ曲線状に増加することを特徴とする請求項１に記載のランプ部材。
【請求項３】
前記ランプは、前記基部から凸状に突き出た部分の少なくとも両エッジに摺動部を有し、前記凸状に突き出た部分が複数設けられていることを特徴とする請求項１又は２に記載のランプ部材。
【請求項４】
情報の書き込みが可能な磁気ディスクと、
該磁気ディスク面上に移動対応させて情報の読取り／書き込みを行うヘッドを搭載したサスペンションアームと
該サスペンションアーム先端に取り付けられたリフトタブと、
該リフトタブと係合し、前記ヘッドを搭載したサスペンションアームを待機時に係留させ、駆動時に前記磁気ディスク面上に移動案内するためのランプ部材とを有する磁気ディスク装置であって、
前記ランプ部材が請求項１乃至３に記載のランプ部材であることを特徴とする磁気ディスク装置。
【請求項５】
前記リフトタブの幅が、０．７〜２ｍｍであり、ディスク面側の底面に０．２５ｍｍ以上の曲率半径を有することを特徴とする請求項４に記載の磁気ディスク装置。
【発明の詳細な説明】
【技術分野】
【０００１】
本発明は、情報の読み書きを行わないときは読み書きヘッドをディスク状記録媒体の外側へ退避させておくダイナミックロード・アンロード方式の磁気ディスク装置及びこれに用いられるランプ部材に関する。詳しくは、単純な形状のランプとこれに係合するヘッドアクチュエータのタブ構造の改良に関する。
【背景技術】
【０００２】
近年、磁気ディスク装置（ハードディスク装置）においては、耐衝撃性を向上させること、及び未使用時の読み書きヘッドとディスクの貼り付きを防ぐこと等を目的として、情報の読み書きを行わないときは、読み書きヘッドをディスクの面上から外側へ退避させ、使用時のみ読み書きヘッドをディスクの面上に移動させる、いわゆるダイナミックロード・アンロード方式を採用するものが増えてきている。
【０００３】
図８は従来のハードディスク装置の動作例を示す要部斜視図で、読み書きヘッド５３をランプ５１の摺動面５１１上に退避させた状態を示す。
【０００４】
リフトタブ５２は、サスペンション５４の先端に設けられる突起で、読み書きヘッド５３より先端側に位置する。ランプ５１は、リフトタブ５２が接触する摺動面５１１を有し、リフトタブ５２がランプ５１の摺動面５１１に接触している間は、２枚のサスペンション５４の間隔が規制され、読み書きヘッド５３同士の接触及び読み書きヘッド５３とディスク５５の接触が防止される。
【０００５】
読み書きヘッド５３は、ディスク５５の回転によって発生する空気流でディスク５５の面上より浮上する。このため、読み書きヘッド５３をディスク５５の面上へロードさせるときは、読み書きヘッド５３がディスク５５の面上に到達するまで、ランプ５１でリフトタブ５２を支持する必要がある。また、読み書きヘッド５３をディスク５５の外側へアンロードさせるときは、読み書きヘッド５３がディスク５５の外側に出る前に、ランプ５１でリフトタブ５２を支持する必要がある。
【０００６】
すなわち、図８に示すように、読み書きヘッド５３がディスク５５の外周付近の面上に位置する状態で、ランプ５１でリフトタブ５２を支持する必要がある。ここで、読み書きヘッド５３がディスク５５の面上に位置する状態では、リフトタブ５２もディスク５５の面上に位置するので、リフトタブ５２とランプ５１の接触点はディスク５５の面上になければならず、したがってランプ５１の先端部はディスク５５の面上に被った位置に配置する必要がある。通常、一枚のディスク５５に対して読み書きヘッド５３は両面分の２個設けられるから、図８に示すように、ランプ５１の先端部５１２はディスク５５を挟むようにカラス口状に形成されている。
【０００７】
このようなランプは、通常、樹脂材料を成型して製造されているが、ランプのカラス口状の先端部は摺動性に優れた材料を用いる必要がある。しかしながら、摺動性に優れた材料は寸法精度を確保することが難しく、特にディスク厚みが薄くなる小型ディスクに対応することが難しくなってきている。また、ランプは金型内で成型後、所定の冷却時間を経てから取り出されるが、寸法精度を確保するためにはこの冷却時間を長くする必要があり、ハイサイクルでの生産ができないという問題もある。さらに、成型装置においては一度に複数のランプを成型しているが、寸法精度の確保のためにその個数が制限されるという問題がある。
【０００８】
また、このような微細な先端部を有していると、ランプの搬送の際に先端部が他のものに接触しないように固定して搬送する必要があり、専用のトレイが必要となる。このため、搬送の嵩が高まり、搬送コストを低減できないという問題がある。
【０００９】
加えて、このようなカラス口を有するランプを用いた場合、ディスクの上下動によりディスクとランプのカラス口内壁が接触することがあり、カラス口部分が削れて、樹脂粉が発生したり、場合によっては、カラス口部分が折れ、正常なロード・アンロードができなくなる場合がある。このため、カラス口を有するランプでは、カラス口の内壁に構造的に強度の高い材料を使用することが提案され、実用化されている。しかしながら、カラス口の外壁の摺動性と、内壁の強度とを同時に満足する材料はあまりなく、異なる材料で形成せざるを得ない状況にある。
【００１０】
さらに、このようなカラス口を有するランプの筐体への取り付けは、先に磁気ディスクを取り付け、その後、ランプを垂直方向に設置し、カラス口部分がディスク面上に位置するようにディスク側にスライドさせる必要がある。最近では、ＨＤ装置の小型化により、ランプを筐体の外側からねじで締め付ける方法が考えられているが、これを行うには、ランプを筐体に仮止めする工程が必要となる。また、一旦ランプを取り付けた後、ディスクの不具合により、ディスクの取り替えが必要となった場合（リワークが必要な場合）、ランプのカラス口部分がディスク面上にあるとディスクの取り替えができないため、ランプをディスク外側にスライドさせる必要がある。仮止めの機構があれば、ランプをスライドさせるだけで済むが、このような機構がなければ、ランプを取り外す必要もある。ディスクを取り替えた後、再度ランプを所定位置に設置しなければならない。
【００１１】
カラス口がなければ、ランプの筐体への取り付けは垂直方向のみのアクション（シングルアクション）となるため、取り付けの際の工程数の削減が図れると共に、筐体外部からのねじ止め等、筐体への取り付け方法の自由度が増すことになる。さらに、ランプを取り付けた状態で、ディスクの取り付け、取り外しが可能となるため、ＨＤ装置の製造工程順序の自由度が増し、リワークも容易となる。しかしながら、単純にカラス口の無いランプを設置しても、正常なロード・アンロードは不可能であるため、様々な改良が必要である。
【００１２】
従来、このようなカラス口の無いランプを用いたＨＤ装置に関して提案されている。例えば、特許文献１では、図９に示すように、折り曲げたバー材６２をサスペンション６４にディスク６５の外側にオフセットして配置した例が示されている。この例では、読み書きヘッド６３がディスク６５の外周付近の面上に位置する状態で、バー材６２がランプ６１の端部に位置しているので、ランプ６１の先端部をディスク６５に重なるようにカラス口状にする必要が無く、ランプ形状を簡略化できる。
【００１３】
また、特許文献２では、図１０に示すように、ヘッド７３の位置をサスペンション７４からディスク７５内側に移動させることにより、サスペンション７４の先端のリフトタブ７２が、同様にカラス口の無いランプ７１に接触する際にヘッド７３がディスク７５上に位置させることができる。
【００１４】
さらに、特許文献３では、ヘッドアクチュエータの形状をアーム本体からサスペンションをディスク側に屈曲させた形状とし、サスペンションの先端ではなくアーム本体側をランプに係合させるハードディスク装置が示されている。
【００１５】
【特許文献１】特開２０００−７６８１１号公報
【特許文献２】特開２０００−１１５７１号公報
【特許文献３】特開２００４−１５２３６０号公報
【発明の開示】
【発明が解決しようとする課題】
【００１６】
従来、ランプと係合するリフトタブの位置やヘッド位置を改良して、ヘッドのロード／アンロードを安定化させることが提案されているものの、その機構が複雑であり、あまり実用化に到っていない。また、ランプ自体の構造については、特にカラス口を有していないという程度にしか検討されていなかった。
【００１７】
本発明の目的は、ランプのスロープ面の立体構造を検討することにより、カラス口の無いランプであっても、ヘッドのロード／アンロードを安定化させることのできるランプ及びハードディスク構造を提供することにある。
【課題を解決するための手段】
【００１８】
本発明者らは、ランプの摺動部とリフトタブの係合を詳細に検討した結果、実際にリフトタブがランプと係合しているのが、摺動部の摺動面全面ではなく、ランプ摺動部のエッジである点に着目し、カラス口の無いランプであっても摺動部先端部形状の立体構造を改良することにより、ヘッドのロード／アンロードを安定化が実現できることを見出した。
【００１９】
即ち本発明は、磁気ディスク装置の磁気ディスク面上に移動対応させて情報の読取り／書き込みを行うヘッドを搭載したアームを待機時に係留させ、駆動時に前記磁気ディスク面上に移動案内するためのランプ部材であって、
磁気ディスク装置筐体への取り付けを行う基部と、前記アームの先端に設けられたリフトタブとディスク面外で係合し、係留部への導入を行うスロープの形成された摺動部とを有し、
該摺動部は、磁気ディスク側に、スロープのエッジが、前記リフトタブのディスク面上の回転平面からの垂直距離Ｗが漸次増加し、かつ前記リフトタブ先端の回転円弧からの前記回転平面に平行な距離Ｈが漸次増加する導入部を有しており、
該導入部の先端が、前記リフトタブのディスク面上の回転平面以下であり、前記導入部の係留部側端部が、前記係合開始点に対して、アームに搭載されたヘッドが前記磁気ディスク面上においてヘッドに掛かるヘッド荷重から解放されるに十分な前記垂直距離Ｗ及び距離Ｈの増加量を有することを特徴とするランプ部材に関する。
【発明の効果】
【００２０】
本発明によれば、カラス口の無いランプ部材であっても、従来構造のリフトタブ及びヘッドを有したサスペンションアームにて、ヘッドのロード／アンロードを安定化させることができる。
【００２１】
また、このようなカラス口の無いランプ部材は、製造が容易であり、冷却工程の短縮によりハイサイクル量産化によるコストダウンを図ることができる。カラス口部分を保護する必要が無くなるため、梱包方法の簡略化も可能となる。
【００２２】
加えて、カラス口が無いことで、ランプの取り付けが垂直方向のみのシングルアクションとなり、工程数の削減を図ることができ、筐体への位置決め自由度が増加する。また、磁気ディスクの取り付け、取り外しは、ランプを設置したままに行えることから、ＨＤ装置全体の工程順序の自由度が増し、また、ディスクのリワークも容易となり、生産性の向上に貢献する。
【発明を実施するための最良の形態】
【００２３】
図１は、本発明の一実施形態になるランプの磁気ディスク側端部におけるリフトタブとの係合状態を示す拡大図であり、（ｄ）は上面図、（ａ）〜（ｃ）は（ｄ）のＡ−Ａ線、Ｂ−Ｂ線、Ｃ−Ｃ線におけるそれぞれの側断面図である。
【００２４】
まず、図１（ａ）にディスク５面上を移動してきたヘッド３を搭載したアームのサスペンション４の先端に取り付けられたリフトタブ２とランプ１の摺動部１１先端との係合開始点を示す。Ｐ０はリフトタブ２のディスク５面上の回転平面を示す。この時、摺動部１１のエッジ部は、回転平面Ｐ０にほぼ一致し、リフトタブ２先端の回転円弧Ｒからの回転平面Ｐ０に平行な距離Ｈ１を有している。ここで、リフトタブ２のディスク５面上の回転平面Ｐ０は、ディスク５側下端面と定義する。リフトタブ２のランプ１との係合位置はリフトタブの断面形状により種々変わるが、ここでは便宜上この回転平面Ｐ０に相当するディスク５側下端面とする。
【００２５】
図１（ｂ）に示すようにアームがランプ１の摺動部１１上に進行すると、リフトタブ２にわずかの撓みが生じ、サスペンション４の上昇が始まる。ヘッド３は、フレクシャ６によりディスク５面上に所定のヘッド荷重が掛けられているため、この時点では上昇していない。この時、摺動部１１のエッジ部は、リフトタブ２の回転平面Ｐ０からの垂直距離Ｗ１と回転円弧Ｒからの平行距離Ｈ２を有している。
【００２６】
図１（ｃ）に示すようにアームがランプ１の摺動部１１上をさらに進行すると、サスペンション４がさらに上昇し、ヘッド３もフレクシャ６によるヘッド荷重から解放されて上昇が始まる。この時、摺動部１１のエッジ部は、リフトタブ２の回転円弧Ｒからの垂直距離Ｗ２と回転平面Ｐ０からの平行距離Ｈ３を有している。
【００２７】
ヘッドをディスク面上に戻す場合は、逆の手順で進行し、リフトタブ２の撓みが解消されてから、ロードされる。
【００２８】
従来技術では、カラス口の無いランプを使用する場合に、図１（ｃ）に相当する摺動部エッジ面を係合開始点として使用していたため、リフトタブをサスペンションのディスク外周側に配置するか、ヘッドをディスク内周側に配置して対応していた。
【００２９】
しかしながら、本発明では、係合開始点を図１（ａ）の地点まで引き戻した結果、カラス口の無いランプを用いても、リフトタブの取り付け位置やヘッドの位置を変更することなく、安全にヘッドのロード／アンロードが可能となる。
【００３０】
しかも、このようなランプはカラス口を有していないため、寸法精度のマージンが広くなり、また、冷却過程も短縮することが可能となる。
【００３１】
図２は、本発明の一実施形態になるランプの斜視図を示すもので、３枚構成のディスクに対して使用されるものである。同図において、基部２２に対して、凸状に突き出た部分の側面に摺動部２１が形成され、摺動部２１のうち、ディスク側先端に導入部２１ａが形成される。同図において、２１ｂは導入部２１ａに続く第２スロープであり、必要に応じて設けられる。２１ｃは係留部である。Ｓ１はリフトタブの係合開始点であり、リフトタブ２の回転平面Ｐ０にほぼ一致している。Ｓ２は導入部の係留部側端部となる。同図に示すランプでは、凸状部分の両側面の摺動部エッジ面にリフトタブが接触し、移動することとなる。凸状部分の導入部先端の幅ｗ１は、ディスクの厚みとほぼ同等とすることで、リフトタブのディスク面上の回転平面Ｐ０以下とすることができる。係合開始点Ｓ１と導入部先端とを一致させても良いが、リフトタブの振れにより係合不良が発生することを避けるためには、導入部先端と係合開始点Ｓ１とに所定のマージンを設けることが好ましい。係留部側端部Ｓ２における幅ｗ２と基部からの高さｈ１は、前記した、リフトタブ２の回転円弧Ｒからの垂直距離Ｗ２と回転平面Ｐ０からの平行距離Ｈ３を満足するものである。
【００３２】
図３は、本発明の別の実施形態になるランプ部材の側面図及び上面図を示す。図２との違いは、導入部におけるスロープエッジが直線状ではなく、曲線状に形成されている点である。この場合、導入部の係留部側端部Ｓ２は明確な変曲点として存在するものではなく、連続したスロープエッジの途中になる場合がある。例えば、図３では、図２と同様に幅ｗ２と基部からの高さｈ１を有するスロープエッジ部分が、係留部側端部Ｓ２となる。このように曲線状で導入部のスロープエッジを形成することで、変曲によるヘッドの振幅をより抑えることができる。また、係合開始部Ｓ１側の垂直距離Ｗ及び平行距離Ｈの増加量を少なく、係留部側端部Ｓ２側へ行くほど大きくなるようにすることで、リフトタブがアンロード時に高速でランプに接触してもリフトタブやランプの破損を防止することができる。
【００３３】
もちろん、このような導入部を含む摺動部のスロープエッジ面はリフトタブの摺動により樹脂粉の発生を防ぐために面取りされていても良い。
【００３４】
本発明のランプにおける各寸法は、対応するディスクのサイズや間隔、ヘッド荷重の大きさ等により種々異なり、一概に限定されるものではない。一般に、ヘッドのディスク面上での浮上量はナノメートルオーダーであり、本発明のランプにおける導入部については、ミクロンオーダーの偏差を持たせれば、十分なロード・アンロードの安定化が可能となる。
【００３５】
このようなランプ材は、二色成型により形成されることが好ましいが、例えば小型ディスク用ランプでは、摺動性の高い材料で一色成型されていても良い。以下、本発明のランプ部材の材料及びその製造方法について説明するが、本発明はこれらの例のみに限定されるものではない。
【００３６】
本発明においては、基部２２は、機械的強度の高い樹脂材料を用いてまず一次側成型を実施する。機械的強度の高い樹脂材料としては、剛性が高くアルミの線膨張係数（２．４×１０-5Ｋ-1）に近いものが好ましく、「ＵＬＴＥＭ」（ＧＥ社、商標名）などのポリエーテルイミド、「ＡＵＲＵＭ」（三井化学製、商標名）などのポリイミド、ポリカーボネートなどを、カーボンファイバーやグラスファイバーなどのフィラーを添加して強化した樹脂材料が挙げられる。好ましくは、０．１〜０．３×１０-4Ｋ-1程度の線膨張係数を有することが好ましい。また、カーボンファイバー強化材料は、ある程度の導電性（表面固有抵抗がおおむね１０1〜１０12、好ましくは１０1〜１０8Ωｃｍ）を有するため、発生した静電気を筐体へ逃がすことができ、帯電防止効果もある。
【００３７】
フィラーの添加量としては、特に規定されず、所望の機械的強度、線膨張率が得られるように調整すればよいが、おおむね、５〜６０重量％、より好ましくは、３０〜５０重量％程度である。
【００３８】
次に、一次側成型の金型から取り出した一次成型品である基部２２を、二次側成型用の金型に挿入して摺動部２１の二次側成型を実施する。摺動部２１の材料としては、摩擦係数が低く、摩耗粉の発生が少ない材料で、例えば、ポリ四フッ化エチレン（ＰＴＦＥ）などのフッ素樹脂をブレンドした射出成形可能な熱可塑性樹脂、例えば、ポリエステル（ポリブチレンテレフタレート（ＰＴＢ）、ポリブチレンナフタレート（ＰＢＮ）、ＬＣＰ「Ｖｅｃｔｒａ  Ａ４３０」（ポリプラスチック（株）製、商品名））や、ポリアセタール（ＰＯＭ、「テナック−Ｃ」（旭化成製、商品名））が挙げられ、一般に入手可能である。又、ＰＦＡ、ＥＰＥ、ＦＥＰなどのフッ素樹脂単独で使用することもできる。さらに、樹脂注入口（ゲート）の位置を考慮し、樹脂配向を最適化することで、より摺動性が向上する。
【００３９】
又、基部と摺動部とに共通して要求される条件としては、アウトガスが少ない材料を使用することである。アウトガス、特に塩素ガスやシリコンなどが発生すると、ディスクの磁性層への悪影響が懸念される。
【００４０】
又、摺動部を複数有する場合、各々の摺動部を形成する場合に、各々異なるゲートから材料を注入して、各々独立した摺動部を形成することもできる。これにより、樹脂配向のそろった摺動部を得ることができる。
【００４１】
本発明においては、基部と摺動部とが容易に分離しないように、基部あるいは摺動部に突起や凹みなどの分離防止手段を設けておくことはより好ましい。特に、コアバック方式により二色成形を実施し、一次側成型される基部に孔を設け、その途中に段差を設けておき、次に成型コアを後退させて二次側の摺動部を形成して、該孔を埋めて形成することで、摺動部には、該孔の形状に対応した段差を有するピンが形成される。このように基部に段差を有する孔を設け、これに嵌合するピンを摺動部に形成することで、基部と摺動部が分離しない構造を形成することができる。
【００４２】
記憶装置に装填されるディスク枚数の変更により摺動部の数もそれに対応して変更する必要があり、そのために複数の対応した金型を用意しなければならないが、さらに本発明では、カラス口を設ける必要がないため、少なくとも一つの摺動部を有するランプ部材を複数組み合わせて使用することで、作成する金型を減らすことができる。例えば、１つの摺動部を有するランプ部材と、２つの摺動部を有するランプ部材とを任意に組み合わせれば、様々な数に対応することができる。
【００４３】
ＨＤ装置
次に、本発明に係るランプを設置したハードディスク装置（ＨＤ装置という）について説明する。
【００４４】
図４は、本発明に係るランプを設置したＨＤ装置の一例になる概略を示す図である。ランプ部材として、本発明に係るランプ３１を設置している以外は従来公知の装置であり、ディスク３５上の情報を記録再生するヘッド３３と、このヘッド３３を先端側で支持するサスペンション３４と、このサスペンション３４を固定するアーム本体３７からなるヘッドアクチュエータを内蔵している。
【００４５】
ヘッドアクチュエータは、アーム本体３７がピボット３８を軸に筐体に対して回転自在に取り付けられる。また、ヘッドアクチュエータは、ピボット３８を挟んでサスペンション３４と反対側に設けられるボイスコイルモータ（ＶＣＭ：Voice Coil Motor）３９によって回転駆動される。さらにヘッドアクチュエータへの電力の供給と読み書きヘッド３３との信号のやり取りは、アーム本体３７に固定されたフレキシブルプリント基板（ＦＰＣ：Flexible Printed Circuit：不図示）を介して行われる。
【００４６】
ディスク３５は、通常、複数枚を所定間隔で積層されており、ヘッドアクチュエータは各ディスクの両面に対してそれぞれヘッド３３を搭載できるように、ディスク枚数の倍のサスペンション３４を有する。
【００４７】
ヘッド３３は、サスペンションからディスク方向に所定のヘッド荷重が付加されているが、ディスク面上で所定の浮上量を得るため、ディスク回転による空気流を利用して、正圧式又は負圧式のヘッドスライダに取り付けられている。正圧式は、スライダをディスクから浮上させる方向に作用する正圧を用い、負圧式は逆にディスク側に作用する負圧を利用する方式である。
【００４８】
ランプの取り付けは、ランプ基部に設けた取り付け用の穴を介してねじ止め等されており、ランプの導入部における２つの係合開始点Ｓ１と２つの係留部側端部Ｓ２に規定される面が、取り付け部位でディスクの接線とほぼ平行になるように取り付けるのが好ましい。
【００４９】
従来のカラス口を有するランプの場合、ディスク３５のリワークが必要な場合、ランプを取り外してから、行う必要があり、リワーク後に再度ランプを設置しなければならなかったが、本発明に係るランプは、カラス口を有していないことから、ランプを取り外すことなくディスクのリワークが可能となる。
【００５０】
リフトタブ
図５は、従来公知のリフトタブの断面形状を説明する図であり、紙面下側がディスク面となる。（ａ）は円柱（円筒）状のタブ、（ｂ）は多角形断面を有するタブ、（ｃ）はＵ字形状断面を有するタブである。これらのタブにおいては、その高さ（（ａ）の場合はその直径ｒ）が所定の範囲に設定されている。これは、ディスク間に相対するサスペンション先端部で、ディスク上にヘッドが位置しているときに互いに接触しないようにするためである。また、その幅（（ｂ）及び（ｃ）におけるＷ１，Ｗ２）は、通常、０．２５〜０．３ｍｍとされている。さらに、底面部の曲率半径（Ｒ０，Ｒ１）は、０．２５ｍｍ以上であることが好ましい。（ｂ）の場合の角度θは、通常３０°以下である。（ｃ）の場合においては、その側面の曲率半径（Ｒ２）は、０．２ｍｍ以下であり、厚みｔは、０．０４ｍｍ以下であることが好ましいとされている。本発明においては、このような従来公知のタブをそのまま使用することができるが、図６に示すようにその幅を広くしたものを使用することが好ましい場合がある。図６に示すリフトタブでは、その幅を例えば、０．７ｍｍ〜２ｍｍの範囲とすることができる。底面部の曲率半径（Ｒ３）は、従来同様０．２５ｍｍ以上である。
【００５１】
前述の通り、リフトタブのランプとの係合位置は、リフトタブの断面形状により種々変わり、図５（ｂ）や図６に示すリフトタブでは、その曲率面から、下端部にかけてランプと摺動し、図５（ｃ）に示すリフトタブでは、Ｒ２の曲率面からＲ１の曲率面にかけてランプと摺動する。
【００５２】
このようなリフトタブは、通常サスペンションの先端部に、ヘッド中心軸と同軸上に設けられるが、ヘッド中心軸からディスク外側に偏在させても良い。図７では、サスペンション４４の先端部にタブ４２が設けられているが、その中心軸４２ａは、ヘッド４３の中心軸４３ａからディスク外側に位置している。本発明においては、図９の従来技術に示すように、サスペンションアームの外側までリフトタブを張り出させる必要はない。その結果、ヘッドのロード／アンロード時にサスペンションアームが拠れることを防止する複雑な機構も不要である。
【００５３】
リフトタブの長さは、ランプスロープの導入部の係合開始点において安定してランプとリフトタブとが接触できる長さであれば特に制限されるものではないが、あまり長くするとＨＤ装置内で多くのスペースを必要とするようになる。
【００５４】
以上、本発明を具体的に説明したが、本発明はこれらの例のみに限定されるものではなく、請求項に記載の範囲内で適宜変更可能である。
【図面の簡単な説明】
【００５５】
【図１】本発明のランプの作用効果を説明する断面図（（ａ）〜（ｃ））及び部分上面図（ｄ）である。
【図２】本発明の一実施形態になるランプの概略斜視図である。
【図３】本発明の別の実施形態になるランプの側面図及び上面図である。
【図４】本発明のランプを搭載したＨＤ装置の概略図である。
【図５】リフトタブの断面形状を説明する図である。
【図６】本発明に適用可能な幅広のリフトタブの断面図である。
【図７】リフトタブのサスペンション先端への取り付け例を示す概略図である。
【図８】従来のカラス口を有するランプを用いたランプロード方式を説明する概略斜視図である。
【図９】従来のカラス口の無いランプを用いたサスペンション機構を説明する図である。
【図１０】従来のカラス口の無いランプを用いた別のサスペンション機構を説明する図である。
【符号の説明】
【００５６】
１  ランプ
２  リフトタブ
３  ヘッド
４  サスペンション
５  ディスク
【図１】
2009181685.tif 000003
【図２】
2009181685.tif 000004
【図３】
2009181685.tif 000005
【図４】
2009181685.tif 000006
【図５】
2009181685.tif 000007
【図６】
2009181685.tif 000008
【図７】
2009181685.tif 000009
【図８】
2009181685.tif 000010
【図９】
2009181685.tif 000011
【図１０】
2009181685.tif 000012